(57)【要約】【課題】  操作ダイヤルの上下方向のガタツキを無くし、円滑な回動操作を確保して操作感触の良い操作入力装置を提供することにある。【解決手段】  ベース１０と、上面に複数個の押しボタンスイッチおよびホール素子を実装し、前記ベース１０に積み重ねて一体化したプリント基板２０と、前記プリント基板２０上で上下動可能に前記ベース１０に支持された操作板５０と、Ｎ極およびＳ極を交互に配置した環状マグネット６５を下面に組み付け、前記操作板５０の上面に回動自在に組み付けられた円盤型操作ダイヤル７０と、からなる。そして、前記円盤型操作ダイヤル７０を回動することにより、前記環状マグネット６５の磁束の変化を前記ホール素子で検知して回動方向を検出する一方、前記円盤型操作ダイヤル７０を押圧することにより、前記操作板５０を介して前記押しボタンスイッチを操作する。【選択図】図４
2006285743.tif 000002
【特許請求の範囲】
【請求項１】
ベースと、上面に複数個の押しボタンスイッチおよび磁界検出素子を実装し、前記ベースに積み重ねて一体化したプリント基板と、前記プリント基板上で上下動可能に前記ベースに支持された操作板と、Ｎ極およびＳ極を交互に配置した環状マグネットを下面に組み付け、前記操作板の上面に回動自在に組み付けられた円盤型操作ダイヤルと、からなり、
前記円盤型操作ダイヤルを回動することにより、前記環状マグネットの磁束の変化を前記磁界検出素子で検知して回動方向を検出する一方、前記円盤型操作ダイヤルを押圧することにより、前記操作板を介して前記押しボタンスイッチを操作することを特徴とする操作入力装置。
【請求項２】
操作板と円盤型操作ダイヤルとの間に配置した摺動シートの外周縁部をベースで支持することにより、前記操作板に付勢力を付与することを特徴とする請求項１に記載の操作入力装置。
【請求項３】
ベースと、上面に複数個の押しボタンスイッチおよび磁界検出素子を実装し、前記ベースに積み重ねて一体化したプリント基板と、前記プリント基板上に配置された操作板と、Ｎ極およびＳ極を交互に配置した環状マグネットを下面に組み付け、前記操作板の上面に回動自在に組み付けられた円盤型操作ダイヤルと、前記操作板と前記円盤型操作ダイヤルとの間に配置され、外周縁部を前記ベースで支持された摺動シートと、からなり、
前記円盤型操作ダイヤルを回動することにより、前記環状マグネットの磁束の変化を前記磁界検出素子で検知して回動方向を検出する一方、前記円盤型操作ダイヤルを押圧することにより、前記操作板を介して前記押しボタンスイッチを操作することを特徴とする操作入力装置。
【請求項４】
ベースから切り起こした弾性腕部で、操作板の下面を押し上げて上方に付勢したことを特徴とする請求項１ないし３のいずれか１項に記載の操作入力装置。
【請求項５】
押しボタンスイッチと操作板との間に弾性パッドを配置したことを特徴とする請求項１ないし４のいずれか１項に記載の操作入力装置。
【請求項６】
請求項１ないし５のいずれか１項に記載の操作入力装置を、外部から操作できるように円盤型操作ダイヤルを露出させて取り付けたことを特徴とする電子機器。
【発明の詳細な説明】
【技術分野】
【０００１】
本発明は、携帯電話機や携帯用音楽プレーヤーに適用できる操作入力装置に関する。
【背景技術】
【０００２】
従来、携帯電話機等に使用される操作入力装置としては、例えば、ベースと、上面に複数個の押しボタンスイッチおよび磁界検出素子を実装し、前記ベースに積み重ねて一体化したプリント基板と、前記プリント基板上に載置された操作板と、Ｎ極およびＳ極を交互に配置した環状マグネットを下面に組み付け、前記操作板上に回動自在に組み付けられた円盤型操作ダイヤルと、からなるものがある。そして、前記操作入力装置は、前記操作ダイヤルを回動することにより、前記環状マグネットの磁束の変化を前記磁界検出素子で検知して回動方向を検出する一方、前記操作ダイヤルを押圧することにより、前記押しボタンスイッチを操作していた（特許文献１参照）。
【特許文献１】特開２００３−２８０７９９号公報
【発明の開示】
【発明が解決しようとする課題】
【０００３】
しかしながら、前記情報入力装置は、概略的に図示した図１９から明かなように、ベース１２０に取り付けた保持環１６４を介して回転体（操作ダイヤル）１５４の周辺縁部を保持している。そして、前記回転体（操作ダイヤル）１５４に回動操作および押し下げ操作を行うことにより、図示しない押しボタンスイッチを駆動する。この場合、前記回転体１５４の周辺縁部を押し下げる際に、前記回転体１５４の上面周辺縁部が前記保持環１６４に当接すると、操作感触が悪くなるので、若干のギャップＧ１を設けてある。しかし、前記ギャップＧ１を設けることにより、上下方向にガタツキが生じる。このため、前記回転体１５４を上方に弾性部材で付勢することも考えられるが、そのような構成にすると、保持環１６４と回転体の上面周辺縁部とが接触することになり、前記回転体１５４を回動操作する際に摩擦が生じ、円滑な回動操作が得られないという問題点がある。
【０００４】
本発明にかかる操作入力装置は、前記問題点に鑑み、操作ダイヤルの上下方向のガタツキを無くし、円滑な回動操作を確保して操作感触の良い操作入力装置を提供することを課題とする。
【課題を解決するための手段】
【０００５】
本発明にかかる操作入力装置は、前記課題を解決すべく、ベースと、上面に複数個の押しボタンスイッチおよび磁界検出素子を実装し、前記ベースに積み重ねて一体化したプリント基板と、前記プリント基板上で上下動可能に前記ベースに支持された操作板と、Ｎ極およびＳ極を交互に配置した環状マグネットを下面に組み付け、前記操作板の上面に回動自在に組み付けられた円盤型操作ダイヤルと、からなり、
前記円盤型操作ダイヤルを回動することにより、前記環状マグネットの磁束の変化を前記磁界検出素子で検知して回動方向を検出する一方、前記円盤型操作ダイヤルを押圧することにより、前記操作板を介して前記押しボタンスイッチを操作する構成としてある。
【発明の効果】
【０００６】
本発明では、ベースに上下動可能に支持された操作板に押し下げ操作機能を、前記操作板の上面に回動自在に組み付けた操作ダイヤルに回動操作機能を分担させている。このため、上下方向のガタツキを解消できるとともに、円滑な回動操作が可能となり、操作感触の良い操作入力装置が得られる。
【０００７】
本発明にかかる実施形態としては、操作板と円盤型操作ダイヤルとの間に配置した摺動シートの外周縁部をベースで支持することにより、前記操作板に付勢力を付与してもよい。
本実施形態によれば、摺動シートが操作板を下方に付勢するので、前記操作板の上下方向のガタツキをより一層確実に防止でき、操作感触が向上する。
【０００８】
本発明としては、ベースと、上面に複数個の押しボタンスイッチおよび磁界検出素子を実装し、前記ベースに積み重ねて一体化したプリント基板と、前記プリント基板上に配置された操作板と、Ｎ極およびＳ極を交互に配置した環状マグネットを下面に組み付け、前記操作板の上面に回動自在に組み付けられた円盤型操作ダイヤルと、前記操作板と前記円盤型操作ダイヤルとの間に配置され、外周縁部を前記ベースで支持されたフレキシブルな摺動シートと、からなり、前記円盤型操作ダイヤルを回動することにより、前記環状マグネットの磁束の変化を前記磁界検出素子で検知して回動方向を検出する一方、前記円盤型操作ダイヤルを押圧することにより、前記操作板を介して前記押しボタンスイッチを操作する構成としてもよい。
【０００９】
本発明によれば、ベースに支持されたフレキシブルな摺動シートを介して操作板を支持し、前記摺動シートおよび前記操作板に押し下げ操作機能を、前記操作板の上面に回動自在に組み付けた操作ダイヤルに回動操作機能を分担させている。このため、上下方向のガタツキを解消できるとともに、円滑な回動操作が可能となり、操作感触の良い操作入力装置が得られる。
【００１０】
本発明にかかる実施形態としては、ベースから切り起こした弾性腕部で、操作板の下面を押し上げて付勢してもよい。
本実施形態によれば、操作板が上方に押し上げられているので、押しボタンスイッチに余計な負荷が作用せず、誤動作を防止できる。また、別部材からなる弾性腕部で操作板を押し上げる必要がないので、部品点数，組立工数が少なく、生産性の高い操作入力装置が得られる。
【００１１】
本発明にかかる他の実施形態としては、押しボタンスイッチと操作板との間に弾性パッドを配置しておいてもよい。
本実施形態によれば、圧縮された前記弾性パッドが前記操作板を上方に付勢し、上下方向のガタツキを防止できる。また、前記弾性パッドが組立誤差を吸収するので、高い組立精度を必要とせず、製造が容易になる。
【００１２】
本発明にかかる電子機器は、前述の操作入力装置を、外部から操作できるように円盤型操作ダイヤルを露出させて取り付けた構成としてある。
本発明によれば、上下方向のガタツキがなく、円滑な回動操作が可能な電子機器が得られるという効果がある。
【発明を実施するための最良の形態】
【００１３】
本発明にかかる操作入力装置の実施形態を図１ないし図１８の添付図面に従って説明する。
本実施形態にかかる操作入力装置は携帯電話機に適用した場合であり、図１に示すように、携帯電話機１に設けたモニター２内のスクロールバー（図示せず）を操作入力装置３でスクロールし、後述する押しボタン４０等を介して選択指示を出すことができる。なお、４はテンキー、５はマイク、６はスピーカーである。
【００１４】
前記操作入力装置３は、図４および図６に示すように、フレキシブルなプリント基板２０を貼着一体化した金属ベース１０と、下面に中央押しボタンスイッチ２９ａおよび４個の押しボタンスイッチ２９ｂ〜２９ｅを予め貼り付けた樹脂製フィルムカバー３０と、前記中央押しボタンスイッチ２９ａを操作する押しボタン４０と、前記金属ベース１０に支持される操作板５０と、前記操作板５０の上面に載置される摺動シート６０と、下面に環状マグネット６５を嵌合，固定し、かつ、固定リング４５をカシメ固定して前記操作板５０に回動自在に取り付けられる操作ダイヤル７０と、からなるものである。
【００１５】
前記金属ベース１０は、図４に示すように、平面略方形であり、その中央部に一対の位置決め突起１１，１１を切り起こしてあるとともに、その外側に治具孔１２，１２をそれぞれ設けてある。また、前記金属ベース１０は、各辺の縁部中央に弾性係合受け部１３をそれぞれ切り起こしてある。
【００１６】
フレキシブルな樹脂フィルムからなるプリント基板２０は、裏面に接着材を塗布して剥離紙に被覆された略方形の基板本体２０ａと、前記基板本体２０ａから延在するリード部２０ｂとから形成されている。そして、前記基板本体２０ａは、その中央に同心円状の導電部２１ａを設けてあるとともに、前記導電部２１ａを中心として同心円状の導電部２１ｂ，２１ｃ，２１ｄ，２１ｅを十文字状に配置してある。また、前記プリント基板２０は、前記金属ベース１０の位置決め突起１１および治具孔１２と対応する位置に、位置決め孔２２および治具孔２３をそれぞれ設けてある。さらに、前記基板本体２０ａは、その隅部に動作状態を知らせるＬＥＤ２４をそれぞれ実装してあるとともに、前記導電部２１ａを間にして対向するように一対のホール素子２５ａ，２５ｂを実装してある。
なお、前記導電部２１ａ〜２１ｅは同心円状だけでなく、例えば、平面視略Ｃ字形の一方の導電部の中央に、他方の導電部を配置して引き出すようにしたものであってもよい。
【００１７】
樹脂製フィルムカバー３０は、前記基板本体２０ａに実装可能な平面形状を有し、接着材を塗布した裏面のうち、前記導電部２１ａ〜２１ｅと対応する位置に、貼り付け部３１ａ〜３１ｅを設けてある。前記貼り付け部３１ａ〜３１ｅには、押しボタンスイッチ２９ａ〜２９ｅを形成する扁平なドーム状反転バネがそれぞれ貼り付けられている。さらに、前記樹脂製フィルムカバー３０は、前記金属ベース１０の位置決め突起１１および治具孔１２と対応する位置に、位置決め孔３２および治具孔３３をそれぞれ設けてある。
【００１８】
押しボタン４０は、後述する操作ダイヤル７０の操作孔７１に挿入可能な外周形状を有し、その外周下端縁部に抜け止め用環状リブ４１を一体成形してある。また、前記押しボタン４０は、その底面中央に押圧用突起４２（図６）を突設けてあるとともに、前記環状リブ４１の外周面に、前記金属ベース１０の位置決め突起１１に係合するガイド用スリット４３を形成してある。
【００１９】
固定リング４５は、後述する操作ダイヤル７０の下面にカシメ固定することにより、操作板５０に操作ダイヤル７０を回動自在に組み付けるためのものである。
【００２０】
操作板５０は、前記金属ベース１０を被覆可能な平面略方形の樹脂成形品であり、その中心に嵌合孔５１を設けてあるとともに、前記嵌合孔５１の下面周辺縁部に環状段部５２を形成してある（図６）。また、前記操作板５０は、前記樹脂製フィルムカバー３０の取り付け部３１ｂ〜３１ｅと対応する位置に押圧用突起５３ｂ〜５３ｅをそれぞれ突設してある。さらに、前記操作板５０は、前記ホール素子２５ａ，２５ｂと対応する位置に方形孔５４を設けてあるとともに、各辺の縁部中央に弾性爪部５５を側方に突設してある。なお、前記方形孔５４は、磁束の通過を容易にするために設けられている。
【００２１】
摺動シート６０は、前記操作板５０の上面を被覆可能な同心円形状であり、その外周縁部に前記金属ベース１０の弾性係合受け部１３に係合する弾性舌片６１を設けてある。
【００２２】
環状マグネット６５はＮ極およびＳ極を交互に配置したものであり、後述する操作ダイヤル７０の環状溝７５に嵌合，固定される。特に、本実施形態によれば、環状マグネット６５が操作ダイヤル７０の環状溝７５に埋設され、前記摺動シート６０に直接接触しない。このため、操作ダイヤル７０に作用する摩擦抵抗が小さく、円滑に操作できる薄型の操作入力装置３を得られるという利点がある。
【００２３】
操作ダイヤル７０は、その中心に押しボタン４０を嵌合する操作孔７１を設けてあるとともに、その上面周辺に滑り止め用突起７２を放射状に均等のピッチで設けてある。また、図６に示すように、操作ダイヤル７０は、前記操作孔７１の下面周辺縁部に、前記固定リング４５をカシメ固定するための環状突部７３を同心円状に設けてあるとともに、前記環状突部７３の下面にカシメ用突起７４を突設してある。さらに、前記環状突部７３の外側には前記環状マグネット６５を嵌合，固定するための環状溝７５を同心円状に設けてある。なお、円盤型操作ダイヤル７０は、必ずしも円形である必要はなく、回動可能であれば、例えば、正八角形であってもよい。
【００２４】
次に、前述の構成部品の組立工程について説明する。
まず、図示しない治具の一対の位置決めピンに前記金属ベース１０の治具孔１２を挿入して位置決めする。ついで、ホール素子２５ａ，２５ｂおよびＬＥＤ２４を所定の位置に実装したプリント基板２０の治具孔２３および位置決め孔２２を、前記治具の一対のピンおよび前記金属ベース１０の位置決め突起１１にそれぞれ挿入し、前記金属ベース１０に前記プリント基板２０を貼着一体化する。さらに、樹脂製フィルムカバー３０の貼り付け部３１ａ〜３１ｅに押しボタンスイッチ２９ａ〜２９ｅとなるドーム状反転バネをそれぞれ貼着一体化する。そして、前記樹脂製フィルムカバー３０の治具孔３３および位置決め孔３２を、前記治具の一対の位置決めピンおよび前記金属ベース１０の位置決め突起１１にそれぞれ挿入することにより、前記樹脂フィルム３０を前記プリント基板２０に貼着一体化し、前記樹脂フィルム３０に貼り付けた反転バネからなる押しボタンスイッチ２９ａ〜２９ｅが形成される。
【００２５】
一方、操作ダイヤル７０の環状溝７５に環状マグネット６５を嵌合して接着固定する。そして、前記操作板５０の上面に摺動シート６０を位置決めし、嵌合孔５１に操作ダイヤル７０の環状突部７３を嵌合する。そして、突出する前記操作ダイヤル７０の環状突部７３に固定金具４５を位置決めし、前記環状突部７３のカシメ用突起７４に前記固定金具４５のカシメ孔４６を挿入してカシメる。これによって、操作ダイヤル７０と固定リング４５との間に操作板５０および摺動シート６０が挟持されるとともに、前記操作板５０に摺動シート６０を介して操作ダイヤル７０が回動自在に支持される。
【００２６】
そして、図３に示すように、前記プリント基板２０の押しボタンスイッチ２９ａの上方に押しボタン４０を位置決めする。そして、前記押しボタン４０に操作ダイヤル７０の嵌合孔７１を嵌合するとともに、前記前記金属ベース１０の弾性係合受け部１３に、前記操作板５０の弾性爪部５５および摺動シート６０の弾性舌片６１を係合することにより、組立作業が完了する。ただし、摺動シート６０の弾性舌片６１は下方側に少し折り曲げられた状態で弾性係合受け部１３に係合し、付勢力を生じている。
【００２７】
本実施形態によれば、操作板５０はベース１０に回動しないように固定され、操作ダイヤル７０の押し下げにより、押しボタンスイッチ２９ａ〜２９ｅを押し下げる押下操作機能を分担する。一方、操作板５０の上面に回動自在に組み付けられた操作ダイヤル７０が回動することにより、回動操作機能を分担する。
したがって、本実施形態によれば、ベース１０の弾性係合受け部１３に操作板５０の弾性爪部５５を係合してあるので、水平方向のガタツキを防止できる。
また、前記操作板５０は押しボタンスイッチのバネ力で上方に付勢されているので、上下方向におけるガタツキが生じない。
さらに、摺動シート６０の弾性舌片６１が前記弾性係合受け部１３に係合することにより、前記操作板５０を下方側に付勢し、前記操作板５０の上下方向のガタツキをより一層確実に防止できる。また、前記摺動シート６０は前記操作ダイヤル７０を上方にも付勢する。このため、操作ダイヤル７０が慣性力で回り過ぎることを抑制でき、誤操作が生じにくいという利点がある。
【００２８】
なお、前記操作板５０と操作ダイヤル７０との間に配置した摺動シート６０の弾性舌片６１だけを、前記ベース１０の弾性係合受け部１３に係合することにより、操作板５０および操作ダイヤル７０を支持してもよい。
【００２９】
次に、前述の構成からなる操作入力装置３の操作方法について説明する。
操作ダイヤル７０を回動することにより、これと一体に環状マグネット６５が回動すると、一対のホールＩＣ２５ａ，２５ｂが磁界の変化をそれぞれ検知し、これに基づいて回動方向および回動量を検出する。
そして、その検出結果が図示しない制御回路を介してモニター２の画面表示にスクロールバーの移動として反映される。ついで、所望の位置にスクロールバーが到達した場合に、押しボタン４０を押すことにより、押圧用突起４２で中央押しボタンスイッチ２９ａを操作し、選択指令を出力する。
また、操作ダイヤル７０の周辺部、例えば、図８に示すように、押圧用突起５３ｅを押し下げることにより、前記押圧用突起５３ｅの直下に位置する押しボタンスイッチ２９ｅの反転バネを反転させて導通させてもよい。
【００３０】
第２実施形態は、図９ないし図１３に示すように、金属ベース１０の周辺縁部から切り起こした弾性腕部１４で操作板５０を上方に付勢することにより、上下方向のガタツキを防止する場合である。同一部分には同一番号を附して説明を省略する。
本実施形態によれば、操作板５０が上方に押し上げられているので、押しボタンスイッチ２９ａ〜２９ｅに余計な負荷が作用せず、誤動作を防止できる。また、別体の弾性腕部を必要としないので、部品点数，組立工数が少なく、生産性の高い操作入力装置が得られる。
【００３１】
第３実施形態は、図１４ないし図１７に示すように、各押しボタンスイッチ２１ａ〜２１ｅ上に樹脂製フィルムカバー３０を介して弾性パッド３４をそれぞれ載置した場合である。なお、第１実施形態と同一部分には同一番号を附して説明を省略する。ただし、説明の便宜上、図１４および図１５において樹脂製フィルムカバー３０は図示されていない。
本実施形態によれば、前記弾性パッド３４を載置して操作板５０を上方に押し上げることにより、上下方向のガタツキを防止できる。特に、多数の部品を組み付けることによって生じる集積誤差を前記弾性パッド３４が吸収できるので、高い組立精度を必要とせず、製造が容易な操作入力装置が得られる。
【００３２】
なお、図１８は前述の原理を示したものであり、図中の操作板５０を付勢している弾性体が、前述の各実施形態では、摺動シート６０、弾性腕部１４、弾性パッド３４に相当する。
また、弾性パッドは、プリント基板２０の上面と操作板５０の下面との間に配置し、操作板５０を上方側に付勢することにより、ガタツキを防止してもよい。
【産業上の利用可能性】
【００３３】
本発明にかかる操作入力装置は携帯電話機に限らず、他のモバイル機器やその他の電子機器に適用してもよいことは勿論である。
【図面の簡単な説明】
【００３４】
【図１】図１Ａは本発明にかかる操作入力装置の第１実施形態を組み込んだ携帯電話機の正面図、図１Ｂは前記操作入力装置の拡大正面図である。
【図２】図２Ａ，２Ｂは図１で示した操作入力装置を上下方向からそれぞれ視た斜視図である。
【図３】図２Ａで示した操作入力装置の一部を分解して上方から視た分解斜視図である。
【図４】図２Ａで示した操作入力装置の上方から視た分解斜視図である。
【図５】図２Ｂで示した操作入力装置の一部を分解して下方から視た分解斜視図である。
【図６】図２Ｂで示した操作入力装置の下方から視た分解斜視図である。
【図７】図７Ａ，７Ｂおよび７Ｃは図１で示した操作入力装置の正面図、図７ＡのＢ−Ｂ線断面図およびＣ−Ｃ線断面図である。
【図８】図８Ａ，８Ｂおよび８Ｃは図１で示した操作入力装置の正面図、図８ＡのＢ−Ｂ線断面図およびＣ−Ｃ線断面図である。
【００３５】
【図９】図９Ａ，９Ｂは本発明にかかる操作入力装置の第２実施形態を上下方向からそれぞれ視た斜視図である。
【図１０】図１０Ａ，１０Ｂは図９Ａ，９Ｂで示した斜視図の断面図である。
【図１１】図９Ａで示した操作入力装置の上方から視た分解斜視図である。
【図１２】図９Ｂで示した操作入力装置の下方から視た分解斜視図である。
【図１３】図１３Ａ，１３Ｂおよび１３Ｃは図９で示した操作入力装置の正面図、図１３ＡのＢ−Ｂ線断面図およびＣ−Ｃ線断面図である。
【００３６】
【図１４】図１４Ａ，１４Ｂは本発明にかかる操作入力装置の第３実施形態を上下方向からそれぞれ視た斜視図である。
【図１５】図１５Ａ，１５Ｂは図１４Ａ，１４Ｂで示した斜視図の断面図である。
【図１６】図１４Ａで示した操作入力装置の上方から視た分解斜視図である。
【図１７】図１４Ｂで示した操作入力装置の下方から視た分解斜視図である。
【図１８】本発明にかかる操作入力装置の動作原理を示す概略断面図である。
【図１９】従来例にかかる操作入力装置の動作原理を示す概略断面図である。
【符号の説明】
【００３７】
３：操作入力装置
１０：金属ベース
１１：位置決め突起
１２：治具孔
１３：弾性係合受け部
１４：弾性腕部
【００３８】
２０：プリント基板
２１ａ〜２１ａ：導電部
２２：位置決め孔
２３：治具孔
２４：ＬＥＤ
２５ａ，２５ｂ：ホール素子
２９ａ〜２９ｅ：押しボタンスイッチ
【００３９】
３０：樹脂製フィルムカバー
３１ａ〜３１ｅ：貼り付け部
３２：位置決め孔
３３：治具孔
【００４０】
４０：押しボタン
４１：抜け止め用環状リブ
４２：押圧用突起
４３：ガイド用スリット
【００４１】
５０：操作板
５１：嵌合孔
５２：環状段部
５３ｂ〜５３ｅ：押圧用突起
５４：方形孔
５５：弾性爪部
【００４２】
６０：摺動シート
６１：弾性舌片
６５：環状マグネット
【００４３】
７０：操作ダイヤル
７１：操作孔
７２：滑り止め用突起
７３：環状突部
７４：カシメ用突起
７５：環状溝
【図１】
2006285743.tif 000003
【図２】
2006285743.tif 000004
【図３】
2006285743.tif 000005
【図４】
2006285743.tif 000006
【図５】
2006285743.tif 000007
【図６】
2006285743.tif 000008
【図７】
2006285743.tif 000009
【図８】
2006285743.tif 000010
【図９】
2006285743.tif 000011
【図１０】
2006285743.tif 000012
【図１１】
2006285743.tif 000013
【図１２】
2006285743.tif 000014
【図１３】
2006285743.tif 000015
【図１４】
2006285743.tif 000016
【図１５】
2006285743.tif 000017
【図１６】
2006285743.tif 000018
【図１７】
2006285743.tif 000019
【図１８】
2006285743.tif 000020
【図１９】
2006285743.tif 000021